(57)【要約】【課題】ウェアラブルデバイス由来の情報を用いて構成要素の状況を反映させた地図データを生成し、該地図データに基づいて地図データベースを作成する装置及びその方法を提供する。【解決手段】ウェアラブルデバイス由来情報と位置情報とを含む情報セットの受入れを行い、該情報セットの位置情報と、予め定められた地図の構成要素の位置情報とに基づいて、該構成要素に関連する情報セットを抽出する。そして、該抽出された情報セットのウェアラブルデバイス由来情報に基づいて、該構成要素ごとに該構成要素の状況を特定し、該特定された構成要素の状況を、該構成要素に関する地図データとして地図データベースへの書込みを行う。【選択図】図１
2015064620.tif 000002
【特許請求の範囲】
【請求項１】
ウェアラブルデバイス由来情報と位置情報とを含む情報セットの受入れを行う受入部と、
前記情報セットの位置情報と、予め定められた地図の構成要素の位置情報とに基づいて、該構成要素に関連する情報セットを抽出する抽出部と、
前記抽出された情報セットのウェアラブルデバイス由来情報に基づいて、前記構成要素ごとに該構成要素の状況を特定する特定部と、
前記特定された構成要素の状況を、該構成要素に関する地図データとして地図データベースへの書込みを行う書込部と、
を備える、地図データベース作成装置。
【請求項２】
前記特定された構成要素の状況と、前記地図データベースにおける該構成要素に関する他の地図データとを比較する比較部、を備え、
前記書込部は、前記比較の結果に基づいて前記書込みを行う、
請求項１に記載の地図データベース作成装置。
【請求項３】
前記ウェアラブルデバイス由来情報は生体情報である、請求項１又は２に記載の地図データベース作成装置。
【請求項４】
前記抽出された情報セットを、ウェアラブルデバイスユーザが前記構成要素に存在する間における該情報セットの生体情報の変化に基づいてフィルタするフィルタ部、
を備える、請求項３に記載の地図データベース作成装置。
【請求項５】
受入部が、ウェアラブルデバイス由来情報と位置情報とを含む情報セットの受入れを行う受入ステップと、
抽出部が、前記情報セットの位置情報と、予め定められた地図の構成要素の位置情報とに基づいて、該構成要素に関連する情報セットを抽出する抽出ステップと、
特定部が、前記抽出された情報セットのウェアラブルデバイス由来情報に基づいて、前記構成要素ごとに該構成要素の状況を特定する特定ステップと、
書込部が、前記特定された構成要素の状況を、該構成要素に関する地図データとして地図データベースへの書込みを行う書込ステップと、
を備える、地図データベース作成方法。
【請求項６】
比較部が、前記特定された構成要素の状況と、前記地図データベースにおける該構成要素に関する他の地図データとを比較する比較ステップ、を備え、
前記書込ステップでは、前記比較の結果に基づいて前記書込みを行う、
請求項５に記載の地図データベース作成方法。
【請求項７】
前記ウェアラブルデバイス由来情報は生体情報である、請求項５又は６に記載の地図データベース作成方法。
【請求項８】
フィルタ部が、前記抽出された情報セットを、ウェアラブルデバイスユーザが前記構成要素に存在する間における該情報セットの生体情報の変化に基づいてフィルタするフィルタステップ、
を備える、請求項７に記載の地図データベース作成方法。
【請求項９】
地図データベースを作成するためのコンピュータプログラムにおいて、コンピュータを、
ウェアラブルデバイス由来情報と位置情報とを含む情報セットの受入れを行う受入手段と、
前記情報セットの位置情報と、予め定められた地図の構成要素の位置情報とに基づいて、該構成要素に関連する情報セットを抽出する抽出手段と、
前記抽出された情報セットのウェアラブルデバイス由来情報に基づいて、前記構成要素ごとに該構成要素の状況を特定する特定手段と、
前記特定された構成要素の状況を、該構成要素に関する地図データとして地図データベースへの書込みを行う書込手段、
として機能させる、コンピュータプログラム。
【請求項１０】
前記コンピュータを、更に、
前記特定された構成要素の状況と、前記地図データベースにおける該構成要素に関する他の地図データとを比較する比較手段、として機能させ、
前記書込手段は、前記比較の結果に基づいて前記書込みを行う、
請求項９に記載のコンピュータプログラム。
【請求項１１】
前記ウェアラブルデバイス由来情報は生体情報である、請求項９又は１０に記載のコンピュータプログラム。
【請求項１２】
前記コンピュータを、更に、
前記抽出された情報セットを、ウェアラブルデバイスユーザが前記構成要素に存在する間における該情報セットの生体情報の変化に基づいてフィルタするフィルタ手段、
として機能させる、請求項１１に記載のコンピュータプログラム。
【請求項１３】
請求項９〜１２のいずれか一項に記載のコンピュータプログラムを記録する記録媒体。
【発明の詳細な説明】
【技術分野】
【０００１】
本発明は、ウェアラブルデバイス由来の情報を用いて構成要素の状況を反映させた地図データを生成し、該地図データに基づいて地図データベースを作成する装置及びその方法に関する。
【背景技術】
【０００２】
近年、移動体端末装置として、腕時計型や眼鏡型、頭部装着型等、身に付けることができる端末であるウェアラブルデバイスが注目されている。そして、このようなウェアラブルデバイスから得られる情報を利用した技術も種々開発されてきている。
上記に関連する技術として、眼鏡型ディスプレイカメラ等の撮像装置により、該装置を装着したユーザの視界方向の光景を撮像し、得られた画像データにユーザの生体情報に基づくメタデータを付加して保存する技術が開示されている（特許文献１）。
一方、施設の名称やジャンル、施設に対するユーザ評価等施設に関する情報を格納した地図データベースが存在する。
本発明に関連する従来技術を開示する特許文献２又は３も参照されたい。
【先行技術文献】
【特許文献】
【０００３】
【特許文献１】特開２００８−１１８５２７号公報
【特許文献２】特開２００８−１２４８８５号公報
【特許文献３】特開２０１０−０７２８２８号公報
【発明の概要】
【発明が解決しようとする課題】
【０００４】
上記従来技術によれば、例えば、施設に対するユーザ評価は、所定のアンケートに対するユーザの回答、あるいは、いいね！ボタンや口コミポイントに代表されるユーザの意志等を反映可能なシステムを利用することにより行われてきている。しかしながら、上記のように入力方式により得られるユーザ評価では、例えば、ユーザの入力間違い等によりユーザの真のフィーリングを反映した評価とは言いがたいケースもある。他にも、ユーザが付き合いや惰性で入力した場合や、評価者になりすまして高評価をつけるという不正が行われる場合もある。このようにユーザの主観が加味されたユーザ評価を反映したデータベースを利用すると、当該ユーザ評価を参考にして当該施設へ訪れた訪問者の期待を裏切る事態を招きかねない。
【０００５】
このような状況に鑑み、本発明者は、ユーザの主観的な要素をできるだけ排除し、施設等構成要素に関する真の情報を反映した地図データベースを作成すべく鋭意検討を重ねてきた。その結果、ウェアラブルデバイスから得られる情報に基づいて上記構成要素の状況を特定し、該特定された構成要素の状況を該構成要素に関する情報として地図データベースに反映させることにより、上記課題を解決できることに想到した。
【課題を解決するための手段】
【０００６】
この発明は上述の課題に鑑みてなされたものであり、その第１の局面は次のように規定される。即ち、
ウェアラブルデバイス由来情報と位置情報とを含む情報セットの受入れを行う受入部と、
前記情報セットの位置情報と、予め定められた地図の構成要素の位置情報とに基づいて、該構成要素に関連する情報セットを抽出する抽出部と、
前記抽出された情報セットのウェアラブルデバイス由来情報に基づいて、前記構成要素ごとに該構成要素の状況を特定する特定部と、
前記特定された構成要素の状況を、該構成要素に関する地図データとして地図データベースへの書込みを行う書込部と、
を備える、地図データベース作成装置。
【０００７】
このように規定される第１の局面の地図データベース作成装置によれば、まず、ウェアラブルデバイス由来情報と位置情報とを含む情報セットを受け入れる。そして、該位置情報に対応する地図の構成要素について、上記ウェアラブルデバイス由来情報に基づいて該構成要素の状況を特定し、該特定された構成要素の状況を地図データベースに反映させる。この地図データベース作成装置によれば、上記構成要素の状況は、ウェアラブルデバイス由来情報というユーザの主観が入り込む余地がない情報に基づいて特定されるため、上記構成要素の真の状況を反映した地図データベースを作成することができる。
【０００８】
ここで、ウェアラブルデバイス由来情報は、ウェアラブルデバイスから得られる情報であれば良く、例えば、生体情報とすることとできる（第３の局面）。当該生体情報は、ユーザの生体に関する情報であり、例えば、脈拍、心拍、呼吸、発汗、血圧、脳波、体温、発声、頭の動き、瞳孔、目の動きが挙げられる。上記ウェアラブルデバイス由来情報の他の例として、環境情報を挙げることができる。当該環境情報は、施設等の構成要素内あるいは周辺の環境に関する情報であり、例えば、騒音、におい、暑さ寒さ、明るさ、紫外線が挙げられる。
上記構成要素とは、地図上に描画される対象物であり、例えば、施設、道路や交差点が挙げられる。そして、当該構成要素の状況とは、当該構成要素に存在するときのユーザの状態等を意味する。例えば、上記構成要素が施設である場合、「リラックス」、「楽しい」、「騒がしい」等を挙げることができ、上記構成要素が道路や交差点である場合には、「ヒヤリハット」等を挙げることができる。上記構成要素の状況は、上記ウェアラブルデバイス由来情報に基づいて上記「リラックス」や「ヒヤリハット」等のユーザ状態に度合いを付与したものであっても良い。
【０００９】
この発明の第２の局面は次のように規定される。即ち、
第１の局面に規定の地図データベース作成装置において、前記特定された構成要素の状況と、前記地図データベースにおける該構成要素に関する他の地図データとを比較する比較部、を備え、
前記書込部は、前記比較の結果に基づいて前記書込みを行う。
【００１０】
このように規定される第２の局面の地図データベース作成装置によれば、上記特定された構成要素の状況と、上記構成要素に関する他の地図データとを比較した結果、両者が一致する場合には上記書込みを実行し、一方、両者が相違する場合には上記書込みをキャンセルすることとできる。このような装置によれば、例えば、ウェアラブルデバイス由来情報のノイズ等に起因して、あるいは、ウェアラブルデバイス由来情報と地図の構成要素との位置情報のミスマッチに起因して、上記構成要素の状況を誤って特定した場合には、地図データベースへの書込みを回避できるため、地図データベース作成の精度を向上させることができる。
【００１１】
この発明の第４の局面は次のように規定される。即ち、
第３の局面に規定の地図データベース作成装置において、前記抽出された情報セットを、ウェアラブルデバイスユーザが前記構成要素に存在する間における該情報セットの生体情報の変化に基づいてフィルタするフィルタ部、を備える。
このように規定される第４の局面の地図データベース作成装置によれば、構成要素に存在する間におけるウェアラブルデバイスユーザの生体情報の変化を考慮することができる。
上記フィルタ部は、生体情報の変化を考慮して、所定条件の下、情報セットのフィルタリングを行うことができる。例えば、上記所定条件を満たす情報セットのみを上記状況の特定対象とする等によりフィルタリングを行うこととできる。
【００１２】
上記生体情報の変化は、変化量、変化率、変化の維持時間等、種々の方法により考慮することができる。当該変化量が大きいほど、変化率が大きいほど、変化の維持時間が長いほど、上記生体情報に基づいて特定される状況の信頼性は向上する。生体情報が脈拍である場合の該変化量を考慮する方法としては、例えば、ウェアラブルデバイスユーザが、ある施設に進入したときの脈拍数と、当該施設内における一定時間経過後の脈拍数とに基づき、その差分を変化量とし、該変化量が所定閾値以上であるとき、上記生体情報を上記状況の特定対象とすることとできる。また、変化率を考慮する方法としては、例えば、上記ユーザの脈拍において、ある施設への進入時から脈拍安定時までにおける単位時間当たりの脈拍数の変化量の絶対値が所定閾値以上であるとき、上記生体情報を上記状況の特定対象とすることとできる。この変化率は、生体情報の変化速度と言い換えることもできる。また、上記変化の維持時間を考慮する方法については、上記ユーザの脈拍において、脈拍が変化し安定し始めたときから（あるいは変化し始めたときから）、脈拍安定状態を持続した時間に基づき、該維持時間は所定閾値以上であるとき、上記生体情報を上記状況の特定対象とすることとできる。上記フィルタ部は、上記生体情報の変化のうちの一に基づくこととしても良く、また、二以上の生体情報の変化を組み合わせてフィルタリングすることとしても良い。
【００１３】
また、この発明の第５の局面は次のように規定される。即ち、
受入部が、ウェアラブルデバイス由来情報と位置情報とを含む情報セットの受入れを行う受入ステップと、
抽出部が、前記情報セットの位置情報と、予め定められた地図の構成要素の位置情報とに基づいて、該構成要素に関連する情報セットを抽出する抽出ステップと、
特定部が、前記抽出された情報セットのウェアラブルデバイス由来情報に基づいて、前記構成要素ごとに該構成要素の状況を特定する特定ステップと、
書込部が、前記特定された構成要素の状況を、該構成要素に関する地図データとして地図データベースへの書込みを行う書込ステップと、
を備える、地図データベース作成方法。
このように規定される第５の局面の発明によれば、第１の局面と同等の効果を奏する。
【００１４】
この発明の第６の局面は次のように規定される。即ち、
第５の局面に規定のほうほうにおいて、比較部が、前記特定された構成要素の状況と、前記地図データベースにおける該構成要素に関する他の地図データとを比較する比較ステップ、を備え、
前記書込ステップでは、前記比較の結果に基づいて前記書込みを行う。
このように規定される第６の局面の発明によれば、第２の局面と同等の効果を奏する。
【００１５】
この発明の第７の局面は次のように規定される。即ち、
第５又は第６の局面に規定の方法において、前記ウェアラブルデバイス由来情報は生体情報である。
このように規定される第７の局面の発明によれば、第３の局面と同等の効果を奏する。
【００１６】
この発明の第８の局面は次のように規定される。即ち、
第７の局面に規定の方法において、フィルタ部が、前記抽出された情報セットを、ウェアラブルデバイスユーザが前記構成要素に存在する間における該情報セットの生体情報の変化に基づいてフィルタするフィルタステップ、を備える。
このように規定される第８の局面の発明によれば、第４の局面と同等の効果を奏する。
【００１７】
更に、この発明の第９の局面は次のように規定される。即ち、
地図データベースを作成するためのコンピュータプログラムにおいて、コンピュータを、
ウェアラブルデバイス由来情報と位置情報とを含む情報セットの受入れを行う受入手段と、
前記情報セットの位置情報と、予め定められた地図の構成要素の位置情報とに基づいて、該構成要素に関連する情報セットを抽出する抽出手段と、
前記抽出された情報セットのウェアラブルデバイス由来情報に基づいて、前記構成要素ごとに該構成要素の状況を特定する特定手段と、
前記特定された構成要素の状況を、該構成要素に関する地図データとして地図データベースへの書込みを行う書込手段、
として機能させる、コンピュータプログラム。
このように規定される第９の局面の発明によれば、第１の局面と同等の効果を奏する。
【００１８】
この発明の第１０の局面は次のように規定される。即ち、
第９の局面に規定のコンピュータプログラムにおいて、前記コンピュータを、更に、
前記特定された構成要素の状況と、前記地図データベースにおける該構成要素に関する他の地図データとを比較する比較手段、として機能させ、
前記書込手段は、前記比較の結果に基づいて前記書込みを行う。
このように規定される第１０の局面の発明によれば、第２の局面と同等の効果を奏する。
【００１９】
この発明の第１１の局面は次のように規定される。即ち、
第９又は第１０の局面に規定のコンピュータプログラムにおいて、前記ウェアラブルデバイス由来情報は生体情報である。
このように規定される第１１の局面の発明によれば、第３の局面と同等の効果を奏する。
【００２０】
この発明の第１２の局面は次のように規定される。即ち、
第１１の局面に規定のコンピュータプログラムにおいて、前記コンピュータを、更に、
前記抽出された情報セットを、ウェアラブルデバイスユーザが前記構成要素に存在する間における該情報セットの生体情報の変化に基づいてフィルタするフィルタ手段、として機能させる。
【００２１】
第９〜第１２のいずれかの局面に規定されるコンピュータプログラムを記録する記録媒体が第１３の局面として規定される。
【図面の簡単な説明】
【００２２】
【図１】本発明の実施の形態の地図データベース作成装置１の構成を示すブロック図である。
【図２】本発明の実施の形態の地図データベース作成装置１の動作の一例を示すフローチャートである。
【図３】本発明の他の実施の形態の地図データベース作成装置２１の構成を示すブロック図である。
【図４】本発明の他の実施の形態の地図データベース作成装置３１の構成を示すブロック図である。
【図５】（Ａ）は地図データベース５に保存される構成要素に関する地図データの一例を、（Ｂ）はジャンル情報データベース３５に保存されるジャンルに対応して期待される状況の一例を示す図である。
【図６】本発明の他の実施の形態の地図データベース作成装置４１の構成を示すブロック図である。
【図７】本発明の他の実施の形態の地図データベース作成装置２１のハード構成を示すブロック図である。
【発明を実施するための形態】
【００２３】
この発明の実施の形態の地図データベース作成装置を説明する。
図１に、地図データベース作成装置１の概略構成を示す。
図１に示すように、この地図データベース作成装置１は、地図データベース５、受入部７、抽出部９、特定部１１及び書込部１３を備えている。また、この地図データベース作成装置１は、ウェアラブルデバイス３で得られた情報を利用して地図データベースを作成する。
【００２４】
ウェアラブルデバイス３は、ユーザが身に付けることができるデバイスであり、腕時計型や眼鏡型、頭部装着型等のデバイスが挙げられる。当該デバイスは種々の情報を取得することが可能であり、当該取得される情報として例えば、ウェアラブルデバイスユーザの生体情報や、該ユーザが存在する場所の環境情報が挙げられる。当該生体情報として、脈拍、心拍、呼吸、発汗、血圧、脳波、体温、発声、頭の動き、瞳孔、目の動き等が挙げられる。また、当該環境情報として、騒音、におい、暑さ寒さ、明るさ等が挙げられる。本明細書において、上記ウェアラブルデバイス３で取得された情報は、以下、ウェアラブルデバイス由来情報、ＷＤ由来情報と記載することがある。このようなＷＤ由来情報は、該ＷＤ由来情報が取得された位置情報とともに取得され、保存される。また、これらの情報には、時間情報が関連付けられていても良い。
【００２５】
地図データベース５には、地図に描画等するための構成要素に関する種々の地図データが保存される。例えば、当該構成要素の名称、位置情報が該構成要素に関する地図データとして保存される。他にも、ジャンル等の属性情報が該地図データとして保存されていても良い。当該構成要素としては、施設、道路や交差点等が挙げられる。
受入部７は、上記ウェアラブルデバイス３から、ＷＤ由来情報と該ＷＤ由来情報に対応する位置情報とを含む情報セットを受け入れる。当該受け入れの方法としては、上記ウェアラブルデバイス３から無線ネットワークあるいは有線を介することにより行うこととできる。
【００２６】
抽出部９は、上記地図データベース５と上記受入部７とを参照して、上記受け入れた情報セットの位置情報と、地図データベース５内に格納された構成要素であって予め定められた構成要素の位置情報とに基づいて、該構成要素に関連する情報セットを抽出する。当該抽出部９は、位置情報の対応する一の情報セットを抽出しても良いし、二以上の情報セットを抽出することとしても良い。
特定部１１は、上記抽出部９で抽出された情報セットのＷＤ由来情報に基づいて、上記構成要素ごとに該構成要素の状況を特定する。当該特定の方法は、特に限定されず、脈拍が所定値以下であるときに「リラックス状態」、心拍が所定値以上であるときに「ヒヤリハット状態」、騒音値が所定値以上であるとき「騒がしい環境」等、と特定することができる。
【００２７】
書込部１３は、上記特定部１１で特定された構成要素の状況を、該構成要素に関する地図データとして地図データベースに書き込む。当該書込部１３は、例えば、上記特定の結果、一の構成要素について同様の状況が所定数以上特定されたとき、上記書込みを行うこととできる。また、この装置１で特定された構成要素の状況が既に地図データベース３に書き込まれている場合において、上記書込部１３は次のように機能することとできる。当該書込部１３は、上記ウェアラブルデバイス３からの新たな情報に基づき特定された状況が、既に書き込まれた状況と同じである場合には、該特定された回数をカウントして該回数を併せて書き込むこととしても良いし、該回数に応じて評価値を増加させることとしても良い。また、上記新たな情報に基づき特定された状況が、既に書き込まれた状況と異なる場合には、当該新たな情報に基づき特定された状況を併せて書き込むこととしたり、上記既に書き込まれた状況に代えて書き込むこととできる。
【００２８】
図２を用いて、図１に示す地図データベース作成装置１の動作の一例を説明する。
以下の例は、構成要素を交差点、ＷＤ由来情報を生体情報とした場合について説明する。
ステップ１では、受入部７は、ウェアラブルデバイス３から情報セット（ＷＤ由来情報及び位置情報）を受け入れる。
ステップ３では、抽出部９は、ステップ１で抽出された情報セットから、地図データベース５に格納された構成要素であって、予め定められた構成要素の位置情報に対応する位置情報が関連付けられた情報セットを抽出する。この例において、構成要素は交差点Ｘであり、位置情報Ｐｘを有する。そして、抽出された情報セットは、Ｐｘに対応する位置情報Ｐ１を有する情報セット１（ＷＤ１、Ｐ１）である。
【００２９】
ステップ５では、特定部１１は、ステップ３で抽出された情報セット１のＷＤ由来情報（ＷＤ１）に基づいて、上記交差点Ｘの状況を特定する。なお、この例においてＷＤ由来情報は心拍数とする。すなわち、ステップ３で抽出された情報セット１の心拍数（ＷＤ１）が、緊迫した状態（ヒヤリハット状態）の指標となる値（第１の閾値）以上であるとき（ステップ７：Ｙｅｓ）、当該状況を「ヒヤリハット状態」と特定し（ステップ９）、ステップ１１へ進む。
ステップ１１では、書込部１３は、ステップ９で特定された状況、すなわち、「ヒヤリハット状態」を上記交差点Ｘの地図データとして上記地図データベースに書き込む。すなわち、交差点Ｘに、交差点の名称、位置情報及び「ヒヤリハット状態」の地図データが関連付けられた地図データベースが作成される。
【００３０】
上記の例のほか、構成要素を図書館、ＷＤ由来情報を環境情報として、該図書館における状況を特定し、地図データベースの作成を行うこともできる。この場合、当該環境情報としての騒音値に基づいて、該図書館に「静かな環境」あるいは「騒がしい環境」等の情報を地図データとして地図データベースに書き込むこととできる。
【００３１】
図３に、他の実施の形態の地図データベース作成装置２１を示す。図３において、図１と同一の要素には同一の符号を付して、その説明を部分的に省略する。
図３に示すのは、上記特定された構成要素の状況が妥当でないと判断されるとき、該状況の地図データベースへの書込みを回避可能な地図データベース作成装置２１である。すなわち、当該装置２１は、図１に示す装置１において、比較部２３を更に備え、書込部１３に代えて書込部２５を備える。
この例において、上記地図データベース５には、上記構成要素の名称、位置情報の他、構成要素のジャンル等の属性情報が該地図データとして保存されており、当該構成要素のジャンルには、該ジャンルに期待される状況が関連付けられている。例えば、構成要素が施設であるとき、上記ジャンルとして、「飲食店」、「マッサージ店」、「お化け屋敷」、等を挙げることができる。また、上記ジャンルに期待される状況としては、ジャンル「飲食店」に対して「美味しい」、「明るい」、「楽しい」等、「マッサージ店」に対して「リラックス」、「気持ち良い」、「眠たくなる」等、「お化け屋敷」対して「怖い」、「ドキドキ」等が挙げられる。地図データベース５に保存される地図データの一例を図５（Ａ）に示す。
【００３２】
比較部２３は、上記地図データベース５及び上記特定部１１を参照して、上記特定された構成要素の状況と、上記地図データベースにおける該構成要素に関する他の地図データとを比較する。当該比較の方法としては、例えば、上記特定された構成要素の状況が、上記構成要素に関連付けられた他の地図データのうちのいずれかと対応するか否か比較することとできる。上記他の地図データは、例えば、上記ジャンルに期待される状況とすることとできる。具体的に、比較部２３は、上記特定された構成要素の状況が、該構成要素のジャンルに関連付けられた該ジャンルに期待される状況のいずれかと対応するか否か比較する。
書込部２５は、上記比較部２３の比較の結果に基づいて上記書込みを行う。すなわち、上記比較の結果、上記特定された構成要素の状況が上記構成要素に関連付けられた他の地図データのうちのいずれかと対応するとき、上記書込みが行われ、いずれにも対応しないとき、上記書込みはキャンセルされる。
【００３３】
この装置２１の具体例として、構成要素として施設「呪いの館Ｙ」、ジャンル「お化け屋敷」、ジャンル「お化け屋敷」に期待される状況「怖い」、「ドキドキ」である場合を例に以下説明する。この例において、上記構成要素の状況が「気持ち良い」と特定された場合には、上記地図データベースへの書込みをキャンセルする。すなわち、特定された構成要素の状況「気持ち良い」は、上記ジャンル「お化け屋敷」に期待される状況「怖い」、「ドキドキ」のいずれにも対応しないからである。一方、上記特定された構成要素の状況が「怖い」である場合には、当該状況を施設「呪いの館Ｙ」の地図データとして上記地図データベースに書き込む。
【００３４】
図４に、他の実施の形態の地図データベース作成装置３１を示す。図４において、図１及び図３と同一の要素には同一の符号を付して、その説明を部分的に省略する。
図４に示すのは、図３に示す装置２１と同様に、上記特定された構成要素の状況が妥当でないと判断されるとき、該状況の地図データベースへの書込みを回避可能な地図データベース作成装置３１である。すなわち、当該装置３１は、図３に示す装置２１において、ジャンル情報データベース３５を更に備え、比較部２３に代えて比較部３３を備える。
ジャンル情報データベース３５には、上記地図データベース５に保存されるジャンルに対応するジャンルと、当該ジャンルに期待される状況とが関連付けて保存されている。例えば、図５（Ｂ）に示すように、ジャンル「飲食店」に対して「美味しい」、「明るい」、「楽しい」等が関連付けられたテーブルが保存される。
比較部３３は、上記地図データベース５、上記特定部１１及び上記ジャンル情報データベース３５を参照して、上記特定された構成要素の状況と、上記地図データベースにおける該構成要素に関する他の地図データとを比較する。当該比較の方法として、例えば、上記特定された構成要素の状況が、上記構成要素に関連付けられた他の地図データのうちのいずれかと対応するか否か比較することとできる。上記他の地図データは、例えば、上記ジャンルとすることとできる。比較部３３は、例えば、構成要素が施設「呪いの館Ｙ」、ジャンル「お化け屋敷」である場合、上記ジャンル情報データベース３５を参照して、ジャンル「お化け屋敷」に関連付けられた期待される状況「怖い」、「ドキドキ」等を読み出す。そして、該読み出された「怖い」、「ドキドキ」等と上記特定部１１で特定された状況、例えば、「ドキドキ」とを比較し、該特定された状況が、上記期待される状況に含まれるか否か比較する。
【００３５】
図６に、他の実施の形態の地図データベース作成装置４１を示す。図６において、図１、図３及び図４と同一の要素には同一の符号を付して、その説明を部分的に省略する。
図６に示すのは、上記構成要素に存在する間におけるウェアラブルデバイスユーザの生体情報の変化を考慮して上記地図データベースを作成可能な地図データベース作成装置４１である。すなわち、当該装置４１は、図１に示す装置１において、フィルタ部４３を更に備える。
この例において、上記抽出部９は、上記受入部７から、上記構成要素に関連する情報セットを抽出する際、該構成要素の位置情報に対応する情報セットであって、時間的に連続する一連の情報セットを抽出する。また、当該情報セットに含まれるＷＤ由来情報は、ウェアラブルデバイスで取得された生体情報である。
【００３６】
フィルタ部４３は、上記抽出部９を参照して、上記抽出された情報セットを、ウェアラブルデバイスユーザが上記特定された構成要素に存在する間における該情報セットの生体情報の変化に基づいてフィルタリングする。当該フィルタリングは、上記一連の情報セットにおいて、施設に進入したと判断されるときの生体情報と、その後所定時間経過後の生体情報との差分が所定閾値以上であるとき、当該一連の情報セットを上記特定部１１に送ることにより行われる。一方、その差分が所定閾値未満であるとき、すなわち、当該施設における生体情報の変化が小さいときには当該情報セットを、上記状況特定の対象から除外する。当該フィルタリングの他の例としては、生体情報の変化率、変化後の維持時間等の生体情報の変化を用いることとできる。
この例において、上記特定部１１は、上記構成要素の状況を特定するだけでなく、上記生体情報の変化量の値に応じて５段階等多段階評価を行い、上記書込部１３は、上記構成要素の状況と併せて当該評価を地図データとして上記地図データベースに書き込むこととしても良い。上記変化率、変化後の維持時間等についても同様である。
【００３７】
この装置４１の具体例として、構成要素として施設「リラクゼーションＺ」、ジャンル「マッサージ店」である場合を例に以下説明する。上記抽出部９は、地図データベース５に格納された施設「リラクゼーションＺ」の位置情報に基づいて、該位置情報に対応する位置情報を有する一連の情報セットを抽出する。例えば、情報セットに含まれる生体情報は脈拍数とする。フィルタ部４３は、時間的に連続した一連の脈拍数に基づき、例えば、脈拍数が所定値以下であるときの維持時間が所定閾値以上であるとき、当該情報セットを特定部１１に送る。当該生体情報の維持時間が長いほど、当該生体情報に基づいて特定される状況の信頼性は向上するからである。
【００３８】
図７は地図データベース作成装置２１のハード構成を示すブロック図である。
この装置２１のハード構成は、一般的なコンピュータシステムと同様に中央制御装置２２１に対してシステムバス２２２を介して各種の要素が結合されたものである。
中央制御装置２２１は汎用的なＣＰＵ、メモリ制御装置、バス制御装置、割り込み制御装置更にはＤＭＡ（直接メモリアクセス）装置を含み、システムバス２２２もデータライン、アドレスライン、制御ラインを含む。システムバス２２２にはＲＡＭ（ランダムアクセスメモリ）２２３、不揮発メモリ（ＲＯＭ２２４，ＣＭＯＳ−ＲＡＭ２２５等）からなるメモリ回路が接続されている。ＲＡＭ２２３に格納されるデータは中央制御装置２２１や他のハードウエア要素によって読み取られたり、書き換えられたりする。不揮発メモリのデータは読み取り専用であり、装置をオフとしたときにもそこのデータは喪失されない。このハードウエアを制御するシステムプログラムはハードディスク装置２２７に保存されており、また、ＲＡＭ２２３に保存されており、ディスクドライブ制御装置２２６を介して適宜中央制御装置２２１に読みこまれて使用される。このハードディスク装置２２７には、汎用的な構成のコンピュータシステムを地図データベース作成装置２１として動作させるためのコンピュータプログラムを保存する領域が確保される。
【００３９】
このハードディスク装置２２７の所定の領域が、受入部７、抽出部９、特定部１１及び比較部２３で受入れ等された情報を保存する保存部用に割り付けられる。
ハードディスク装置２２７の他の領域が地図データベース５用に割り付けられる。
システムバス２２２には、フレキシブルディスク２３２に対してデータの読み込み及び書き込みを行うフレキシブルドライブ制御装置２３１、コンパクトディスク２３４に対してそれからデータの読み取りを行うＣＤ／ＤＶＤ制御装置２３３が接続されている。この例ではプリンタインターフェース２３７にプリンタ２３８を接続させている。
システムバス２２２にはキーボード・マウス制御装置２４１が接続され、キーボード２４２及びマウス２４３からのデータ入力を可能としている。モニタ２４５がモニタ制御装置２４４を介してシステムバス２２２に接続されている。モニタ２４５にはＣＲＴタイプ、液晶タイプ、プラズマディスプレイタイプなどを利用することができる。
各種の要素（モデムなど）の増設を可能とするため空きのスロット２５１が準備されている。
【００４０】
このコンピュータシステムからなる地図データベース作成装置２１を稼動させるために必要なプログラム（ＯＳプログラム、アプリケーションプログラム（本発明のものも含む））は、各種の記録媒体を介してシステムの中にインストールされる。例えば非書き込み記録媒体（ＣＤ−ＲＯＭ、ＲＯＭカード等）、書き込み可能記録媒体（ＦＤ、ＤＶＤ等）、更にはネットワークＮを利用して通信媒体の形式でインストールすることも可能である。勿論、不揮発メモリ２２４、２２５やハードディスク装置２２７に予めこれらのプログラムを書きこんでおくこともできる。
【００４１】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４３】
１  ２１  ３１  ４１  地図データベース作成装置
３  ウェアラブルデバイス
５  地図データベース（地図ＤＢ）
７  受入部
９  抽出部
１１  特定部
１３  ２５  書込部
２３  ３３  比較部
３５  ジャンル情報データベース（ジャンル情報ＤＢ）
４３  フィルタ部
【図１】
2015064620.tif 000003
【図２】
2015064620.tif 000004
【図３】
2015064620.tif 000005
【図４】
2015064620.tif 000006
【図５】
2015064620.tif 000007
【図６】
2015064620.tif 000008
【図７】
2015064620.tif 000009